(57)【特許請求の範囲】
【請求項１】
予め頁番号が指定されて表面に印刷が施される複数の頁領域を有し、頁番号が連続する前記頁領域の間には、頁番号の順序に沿って谷折り線と山折り線とが交互に形成され、頁番号が連続しない前記頁領域の間には一部が分離された切断線が形成されたシートと、
前記シートの裏面に形成された粘着層と、
任意頁領域とその隣接頁領域との境界に形成された前記谷折り線から隣接する前記隣接頁領域へ延びて前記任意頁領域から突出した切れ目によって形成された第一の剥離補助形成線と、または前記谷折り線から前記任意頁領域へ延びて前記隣接頁領域から突出した切れ目によって形成された第二の剥離補助形成線との双方または一方が形成された、前記粘着層を覆う剥離紙とを有し、
前記谷折り線における谷折りにより隣り合う２頁領域の表面が近づき、前記山折り線における山折りにより隣り合う２頁領域の裏面が近づき、
前記谷折り線は印刷用紙の厚さを貫通するミシン目によって形成され、
最初と最後の頁は、剥離紙を剥離した後に冊子の表紙に貼付され、
前記第一の剥離補助形成線、前記第二の剥離補助形成線、または前記切断線により、前記山折り線を挟み頁番号が連続する２頁領域の裏面に形成された前記剥離紙は他の頁領域の剥離紙から区画されて、
冊子を作成する過程における前記切断線の切り離しと前記谷折り線における谷折りの折り曲げ変形とで、前記剥離補助形成線から前記剥離紙の一部が前記粘着層から剥離して浮き上がり、その浮き上がった部分を引っ張ることによって、他の頁領域の前記剥離紙が剥離されることなく、前記剥離補助形成線を端辺に有する２頁分ずつの前記剥離紙が前記粘着層から剥がされることを特徴とする印刷用紙。
【発明の詳細な説明】
【技術分野】
【０００１】
本発明は、画像を印刷し冊子とする印刷用紙に関する。
【背景技術】
【０００２】
デジタルカメラ等の普及により撮影した電子画像の楽しみ方も広がってきており、画像データをパーソナルコンピュータのモニタ上で鑑賞したり、画像データを編集したりすることが行われている。そしてそのデータは、ハードディスクやコンパクトディスクなどの記録メディアに保存したり、印刷装置により印刷を行ったりしている。またこのような画像データを台紙や専用用紙に印刷し、紙製のアルバムとして製本し、記念に残したり楽しんだりすることができる。このような台紙や専用用紙に直接印刷して製本したものは、写真を貼り付けたアルバムと比べ、オリジナル本の感覚で、画像を楽しむことができる。そしてこのようなアルバムを作成するためには、電子画像データを記録メディアに保存した状態で、特定の業者へ持ち込むか、あるいはインターネットを介してデータを送り、個人アルバムとして製本の依頼を行っている。
【発明の開示】
【発明が解決しようとする課題】
【０００３】
しかしこのように、台紙や用紙に直接画像を印刷し製本化するには、専門業者に依頼しなくてはならず、注文の方法が面倒であったり、製本された状態となるまでにかなりの日数を要したりし、手軽に電子画像を紙製のアルバム状態で製本化することができるとは言い難い。一方、画像のみを印刷し、印刷された画像を既製のアルバムに貼り付ける方法ならば個人でも容易に行うことができるが、製本化されたものに比べれば、安価なイメージは否めない。デジタルカメラの普及により手軽に撮影が可能となり、それらの画像を手軽に製本化する方法が望まれている。
【０００４】
上記問題から、専門家または個人ユーザーが、電子画像を編集し、容易にかつ短時間で冊子として作成できるための印刷用紙を提供することを課題とする。また冊子とするために容易にかつ短時間に取り付け可能で、利便性のある表紙を提供することを課題とする。
【課題を解決するための手段および発明の効果】
【０００５】
上記課題を解決するための本発明の印刷用紙は、
予め頁番号が指定されて表面に印刷が施される複数の頁領域を有し、頁番号が連続する前記頁領域の間には、頁番号の順序に沿って谷折り線と山折り線とが交互に形成され、頁番号が連続しない前記頁領域の間には一部が分離された切断線が形成されたシートと、
前記シートの裏面に形成された粘着層と、
任意頁領域とその隣接頁領域との境界に形成された前記谷折り線から隣接する前記隣接頁領域へ延びて前記任意頁領域から突出した切れ目によって形成された第一の剥離補助形成線と、または前記谷折り線から前記任意頁領域へ延びて前記隣接頁領域から突出した切れ目によって形成された第二の剥離補助形成線との双方または一方が形成された、前記粘着層を覆う剥離紙とを有し、
前記谷折り線における谷折りにより隣り合う２頁領域の表面が近づき、前記山折り線における山折りにより隣り合う２頁領域の裏面が近づき、
前記谷折り線は印刷用紙の厚さを貫通するミシン目によって形成され、
最初と最後の頁は、剥離紙を剥離した後に冊子の表紙に貼付され、
前記第一の剥離補助形成線、前記第二の剥離補助形成線、または前記切断線により、前記山折り線を挟み頁番号が連続する２頁領域の裏面に形成された前記剥離紙は他の頁領域の剥離紙から区画されて、
冊子を作成する過程における前記切断線の切り離しと前記谷折り線における谷折りの折り曲げ変形とで、前記剥離補助形成線から前記剥離紙の一部が前記粘着層から剥離して浮き上がり、その浮き上がった部分を引っ張ることによって、他の頁領域の前記剥離紙が剥離されることなく、前記剥離補助形成線を端辺に有する２頁分ずつの前記剥離紙が前記粘着層から剥がされることを特徴とする。
【０００６】
背表紙部材、第一表紙部材、補助部材、および第二表紙部材がそれぞれ間隙を有して一体として連結されていることから、その各間隙において折れ曲がることが可能である。それぞれの部材が連結部によって連結されて間隙が形成されていてもよいし、テープなどで連結されていてもよい。
【０００７】
そして冊子用表紙は、背表紙部材、第一表紙部材、補助部材、および第二表紙部材を一体として包む包装体を含む。包装体によってそれぞれの部材を間隙を有する状態で包んで表紙とする。包装体としては、例えば、紙、ビニール、布、革などが挙げられる。さらに好みの色や柄の包装体を用いることができる。ユーザーが好みに合わせて包装体を選べば、包装体の材料や色などによって、趣の異なった冊子を作成することができる。
【０００８】
この冊子用表紙に
印刷された用紙を綴じた折丁を取り付けて冊子とする。折丁の第一頁と最終頁の裏面とを冊子用表紙の内側に貼り付けることにより、冊子として完成する。貼り付けは、例えば、冊子用表紙の内側に粘着層を形成して剥離紙で覆っておいて、この剥離紙を剥がして、粘着層で接着するようにしてもよい。また印刷用紙に粘着層を形成しておいて、この粘着層によって貼り付けることもできる。このような冊子用表紙は、各部材間が折り曲げ可能なため、冊子とした場合に折り曲げやすいが、特に、補助部材と背表紙部材、補助部材と第二表紙部材間が折り曲げ可能なことにより、広げやすい構造となる。
【０００９】
さらに第一表紙部材または第二表紙部材の少なくとも一方の内側に、折丁の端の頁を挿入するための頁挿入袋を有するようにすることもできる。そして折丁の第一頁と最終頁をこの頁挿入袋に挿入して、折丁をこの冊子用表紙に取り付ける。冊子挿入袋は、透明な材料（例えビニール）を使用すれば、挿入された第一頁と最終頁も見ることができる。このような頁挿入袋を有すれば、粘着層によって折丁の第一頁と最終頁の裏面とを貼り付ける必要がなくなる。さらに折丁の第一頁と最終頁をこの頁挿入袋から取り外すことにより、冊子用表紙から折丁を取り外すことが可能なため、冊子用表紙を異なるものに交換することも容易である。
【００１０】
上記課題を解決するための本発明の印刷用紙は、
表面に印刷が施される頁領域を有し、頁領域の境界には、少なくとも谷折り線または山折り線が形成されたシートと、
シートの裏面に形成された粘着層と、
任意頁領域とその隣接頁領域との境界に形成された谷折り線または山折り線から隣接する隣接頁領域へ延びて任意頁領域から突出した切れ目によって形成された第一の剥離補助形成線と、または谷折り線または山折り線から任意頁領域へ延びて隣接領域から突出した切れ目によって形成された第二の剥離補助形成線との双方または一方が形成された、粘着層を覆う剥離紙とを有し、
谷折り線における谷折りまたは山折り線における山折りの折り曲げ変形で、剥離補助形成線から剥離紙の一部が粘着層から剥離して浮き上がり、そこを起点に剥離紙が粘着層から剥がされることを特徴とする。
【００１１】
本発明の印刷用紙は、裏面同士を貼り合わせた後、一部領域が剥離することなく貼り合わせ状態を維持でき、かつ貼り合わせ位置の修正のため、剥離して再度貼り合わせをすることができる粘着力を有する粘着剤によって形成された粘着層を有する。裏面に粘着層を有するため、剥離紙を剥離して裏面同士を貼り合わせることにより容易に冊子とできる。しかし裏面同士を貼り合わせた際に、ずれて貼り合わせてしまうことも起こりうる。そこで弱粘着力の粘着剤により粘着層を形成するようにすれば、再び裏面間を剥離して、ずれないように貼り合わせることができる。
【００１２】
より具体的には、坪量１００ｇｒ／ｍ２以上、かつ厚さ１８０μｍ以上である印字紙に、粘着度が１２Ｎ／２５ｍｍ以下である粘着剤により粘着層を形成する。印字紙の厚さは、５００μｍ程度以下が、汎用のプリンタで使用するには望ましい。専用の印刷機で行うのであれば、それ以上の厚さでも可能である。また印刷用紙裏面同士を貼り合わせた場合に、一部領域が剥離することなく貼り合わせの状態を維持できるためには、２Ｎ／２５ｍｍ以上の粘着力があることが望ましい。この坪量、厚さの印字紙を使用すると、十分な強さと厚さにより見栄えのよい冊子とできる。そしてこのような印字紙を貼り合わせ、かつ張り合わせの位置がずれた場合に、剥離して再び貼り合わせるためには、上記のような粘着剤を使用する必要がある。このような弱粘着力の粘着剤により、貼り合わせのやり直しができる。
【００１３】
そして粘着層を覆う剥離紙には、頁領域の境界に谷折り線または山折り線が形成され、その谷折り線または山折り線から延びる剥離補助形成線が形成されている。剥離補助形成線は、剥離紙に形成された切れ目であり、この剥離補助形成線から剥離紙を剥がすことが可能である。印刷用紙を谷折り線または山折り線において折り曲げると、粘着層の粘着力が弱いために、この剥離補助形成線から剥離紙が剥離する。そこでこの剥離した部分を摘んで剥離紙を容易に剥がすことができる。
【００１４】
印刷用紙には、頁領域外にタイトルを印刷するためのラベル領域を形成することもできる。このようにしておけば、画像等を頁領域に印刷する際に、同時に冊子のタイトルを印刷することができる。そしてこのラベルを冊子の表紙や背表紙に貼り付けることができる。
【発明を実施するための最良の形態】
【００１５】
以下図面を参照しつつ本発明の実施形態について説明する。図１は、画像処理装置１００の概要を説明するブロック図である。ＣＰＵ１０２、ＲＯＭ１０３、ＲＡＭ１０４、ＨＤＤ１０５を有するコンピュータ１１２とＩ／Ｏポート１０１を介して、メモリーカード用スロット１０６、スキャナ１０８、モニタ１０９、プリンタ１１０、ＣＤドライブ１１１等の入力機器及び出力機器が接続されて、画像処理装置１００は構成されている。アプリケーションソフトは、ＨＤＤ１０５内に保存されており、起動することによりＲＡＭ１０４内に記憶され動作する。
【００１６】
コンピュータ１１２の電源をONした後、アプリケーションソフトを起動する（図３のＳ１）。次に、スロット１０６から、メモリーカード１０７に記録されている画像データを読み出し、続いて画像の削除・追加及び編集を行うこととなる。コンピュータ１１２には、メモリーカード用スロット１０６が接続されており、デジタルカメラ等で撮影された編集したい静止画像が入っている例えばスマートメディア等の画像記録媒体をメモリーカード用スロット１０６に挿入し、画像データを読み込む。この時、記録媒体に保存されている画像をすべて読み込む。読み込まれた画像データは、パソコンのモニタ１０９上に表示される。
【００１７】
アプリケーションソフトを起動後、メモリーカード１０７がメモリーカード用スロット１０６に入っているか判断する（Ｓ２）。挿入されていない場合は、Ｓ３でメモリーカード１０７をスロット１０６に挿入する。メモリーカード１０７から画像データを読み込む際には、どのメモリーカード１０７から読み込むかメモリーカード１０７の種類を選択することになる（Ｓ４）。メモリーカード１０７の選択は、アプリケーションソフトにて行う。タッチパネル機能付コンピュータを使用する場合、上記メモリーカード１０７の選択は、選択画面上の対応する位置をユーザーが指あるいは専用の支持棒で触れることにより行うことができる。タッチパネル機能が付いていないコンピュータでアプリケーションを操作する場合は、マウスにて該当部分をクリックすることにより行うことができる。
【００１８】
メモリーカード１０７の選択後（Ｓ４）、画像データの読み出しが行われる（Ｓ５）。読み出しが終了すれば、モニタ１０９上に画像が表示される（Ｓ６）。画像データの追加があるかどうか判断し（Ｓ７）、さらに画像データの追加がある場合には、図２（ａ）の追加ボタン１０９ｄを選択し、前述のＳ３の工程に移る。これにより、新たにスロット１０６に挿入された別のメモリーカード１０７に保存されている画像データが、先に読みこまれた画像データとともに、ＲＡＭ１０４の画像データメモリに一時記録される。そして、追加された画像データに基づく画像が、図２（ａ）の表示画面１０９ａに、先に読みこまれた画像とともに表示される。
【００１９】
読み込んだ画像の編集を行うことも可能である（Ｓ８）。編集をする場合は、編集したい画像を選択する。選択された画像は、モニタ上に大きく表示される（図２（ｂ））ので、そこで文字を付けたり、線を引いたりすることができる。また画像に着色処理などを行い、例えばセピア色として画像の雰囲気を変えることもできる（Ｓ９）。
【００２０】
画像の編集の仕方について説明する。図２（ａ）に示す表示画面において、文字の編集を行いたい画像を選択する。具体的には、表示画面１０９ａの操作フレーム１０９ｂに表示されている編集ボタン１０９ｅを押した後、表示されている画像（１、２、３・・・）から編集したい画像を選択する。編集したい画像の選択が終了すると、図２（ｂ）に示すように、選択された画像のみが大きく、モニタ１０９の表示画面１０９ａに表示される（図２（ｂ）は画像１を選択した場合の表示画面１０９ａを示すものである）。そして、画像１に、文字をつける場合には、操作フレーム１０９ｂに表示されている色選択領域１０９ｇにおいて、画像１に合う好みの色を選択し、タッチパネル機能付きコンピュータの場合は、指或いは専用の指示棒により、そうでない場合は、マウスで表示画面の上をなぞって、画像１上に適宜文字を付与する。文字の付与に際しては、線の太さ領域１０９ｉから適当な線の太さを選択したり、消しゴム１０９ｈ等を適宜選択しながら（場合によっては線の色も変えたりしながら）、好みの文字を形成することができる。また、文字だけではなくて、画像に飾り等を付与することもできる。編集が終了したら保存ボタン１０９ｊを選択して、編集操作を終了する。
【００２１】
読み込まれた画像データのうち、不必要な画像データは、削除し除外することができる（Ｓ１０）。不要な画像を削除する場合には、図２（ａ）に示す表示画面において、操作フレーム１０９ｂ内の削除ボタン１０９ｃを選択したのち、表示画面１０９ａ上で不要な画像を、指あるいは専用の支持棒、またはマウス等により選択することで行うことができる。この選択により不要と判断された画像に対しては、削除されることを示す旨の表示（例えば×マーク等）が表示画面上に付与される。なお、不要と選択された画像を、再度指あるいは専用の支持棒、またはマウス等にて選択することで、画像の削除を取りやめることができる。
【００２２】
さらに、Ｓ１１においては、アルバムとして印刷される画像の印刷の順番を変更することもできる。図２（ａ）の表示画面１０９ａにおいて、操作フレーム１０９ｂに表示されている順番ボタン（１０９ｆ）を選択し、その後、順番を入れ替える画像を選択する。そして、入れ替える画像を選択している状態で、操作フレーム１０９ｂ内の「前へ」あるいは「次へ」ボタン１０９ｋを適宜選択することにより、選択した画像を表示画面上で移動させ、好みの順番に設定することができる。図２（ｃ）に２番目の画像を削除し、１番目と３番目の順序を入れ替えた場合の例を示す。
【００２３】
この指定した順番にできあがりのアルバム上で画像が配列するように、画像処理装置であるアプリケーションソフトが、印刷データを作成し、印刷装置にデータを送ることになる。印刷用紙を指定し（Ｓ１２）、さらに画像の外、つまり印刷用紙の画像印刷の余白部分に文字を挿入したり、イラストを挿入したりすることも可能である。これらの装飾を行う場合（Ｓ１３）、Ｓ１４で文字、絵、フレーム（枠）などを挿入する。フレームは、あらかじめアプリケーションソフトに組み込まれており、その中からユーザーが選択することにより容易に設定することができる。
【００２４】
以上のように画像の編集作業、印刷する画像の選択、印刷用紙の選択を行った後、アプリケーションソフトに印刷を指示する（Ｓ１５）。アプリケーションソフトは、印刷される画像が、製本する際に、所望の向き、順番、位置になるように決定し、データを印刷装置に送ることになる。
【００２５】
印刷に必要な設定として、印刷用紙の選択、画像の枚数の選択、画像に施すフレームの選択などがあげられる。アプリケーションソフトは選択された用紙、画像の枚数に応じて、どの位置、向きに画像を印刷するべきか設定値をあらかじめ内蔵しており、ユーザーは、自分自身で値を詳細に設定したり調整したりする必要はなく、容易に決定できる。
【００２６】
画像データは、上記実施例のようにメモリーカード１０７から読み出されるものだけに限られるものではない。例えば、図１に示すように、コンピュータ１１２に接続される外部機器として、スキャナ１０８を採用し、このスキャナ１０８により静止画像を静止画像データとして読取り、この静止画像データからアルバムを作成することもできる。具体的には、既にプリント出力（現像）済みの写真の画像をスキャナ１０８により取り込んで、画像データとして利用し、アプリケーション上で編集した後、プリンタで印刷することになる。画像データをスキャナで取り込んだ後の手順については、前述と同様である。またＣＤドライブ１１１にＣＤ等を挿入し、ＣＤ等に保存されている画像を読み込み、これらの画像から同様にアルバムを作成することも可能である。さらにＣＤドライブ１１１の代わりにＤＶＤドライブを備え、ＤＶＤディスクからデータの読み込みや記録をするようにしてもよい。
【００２７】
図４にアルバム冊子を作成するための印刷用紙の実施例を示す。（ａ）は、印刷用紙１の表面を示す。この印刷用紙１には、３行４列に同一の大きさの頁領域が並んでいる。また上から１行目と２行目との間で、左から２列目から４列目までと、上から２行目と３行目との間で、左から１列目から３列目までの実線は、切断線２を表す。そして図に示すように１行４列目の頁領域から順番に番号を付けたとき、１番目と２番目の間には、谷折り線３１、２番目と３番目の間には山折り線３２が形成されている。以下、交互に谷折り線３１と山折り線３２が並んで形成されている。
【００２８】
印刷用紙１は、Ａ４サイズで１２枚またはそれ以下の画像を印刷することができる。ただしこのサイズに限られるものではない。この用紙には、図４に示されているように、画像の位置が決まり、また画像の向きも図のように１頁目から４頁目までと９頁目から１２頁目までは、同じ向きとなるが、５頁目から８頁目までは逆向きに印刷される。また印刷の順番も図に示す順序で印刷されることとなる。ユーザーはこの印刷形態を選択し、印刷する画像の順番を指定すれば、画像の印刷位置等詳細な設定をする必要はなく、印刷データ作成手段であるアプリケーションソフトが適切な設定データを作成し、印刷手段であるプリンタ１１０へデータを送り、この印刷用紙に印刷を行う。
【００２９】
この印刷用紙は、Ａ４サイズで３行４列の１２の頁領域が並んでいる。各頁領域は、正方形で形成されている。各頁領域を正方形（図の辺５と辺６を同じ長さにする）または正方形に近い形にすると高級感がでてよい。そして頁領域とされない残余部２１が形成される。この残余部２１には、冊子のタイトルなどを印刷することのできるラベル領域８３が形成されている。頁領域に画像等を印刷する際に、このラベルにタイトルなどを印刷する。
【００３０】
次に図５を用いて、印刷用紙１の断面構造と、各列間に形成された山折り線や谷折り線について説明する。印刷用紙１は、頁領域を有する印字紙（シート）９０の裏面に粘着層９１が形成され、さらに剥離紙９２が貼り付けられている。頁領域を有する印字紙９０としては、写真用光沢紙を使用すると、印刷した際、きれいに仕上げることができる。また比較的厚めの、例えば１８０μｍ以上の厚さのものを使用すると、高級感が出てよい。なお図は、厚み方向が強調されて描かれている。
【００３１】
図５に示すように谷折り線３１として、ミシン目が入れられている。さらに山折り線３２として、半切断線が形成されている。半切断線は、印字紙９０を深さ方向に、例えば、半分、または２／３程度切断し、残りは切断されずにつながっている。すなわち有底の溝構造となっている。このため、折り曲げがし易い。
【００３２】
なおミシン目が山折り線、半切断線が山折り線であってもよい。細かいマイクロミシンによるミシン目を付けることで、印刷後、マイクロミシン目を山折りにした場合に、マイクロミシン目部分が切れるようにしてもよい。こうすることにより比較的ページ数の多い場合に体裁良く仕上げることができる。
【００３３】
裏面の剥離紙９２を剥がすことにより、表紙や裏面同士を張り合わせることができる。剥離紙９２には、ミシン目３１や半切断線３２に隣接する領域に切れ目である剥離補助形成線が形成されており、折り曲げ線部において折り曲げた後、この剥離補助形成線の部分から剥離紙９２を容易に剥がすことができる。
【００３４】
粘着層９１を形成する粘着剤は、弱粘性（弱粘力）のものを用いると、再剥離が可能となりよい。特に坪量が１００ｇｒ／ｍ２以上で１８０μｍ以上の厚さの印字紙８０を使用する場合には、粘着度が、１２Ｎ／２５ｍｍ以下の粘着剤を使用すると、貼り合わせの際に貼り合わせ位置がずれてしまった場合、剥離してもう一度接着することができる。
【００３５】
図４（ｂ）に戻って、印刷用紙１の裏面を説明する。印刷用紙１の裏面は、剥離紙９２（図５参照）によって覆われている。この剥離紙９２には、剥離補助形成線４１が、形成されている。図に示すように谷折り線３１から延びて、斜めに形成されている。そして剥離補助形成線４１と谷折り線３１と、印刷用紙の端辺または切断線２によって摘み部４５が形成される。剥離補助形成線４１は、剥離紙９２に形成された切れ目で、印字紙９０には、形成されていない。
【００３６】
印刷が終了した後、図４の印刷用紙１の実線で表された切断線２を切断する。点線部分の切断は行わない。点線部分を谷折り、山折りとすることにより、所望の順番で画像が印刷されたアルバム冊子とすることができる。図６を用いて、印刷用紙１の各行間に形成された切断線２について説明する。図に示すように各行間は、連結部１３１が複数形成され、これによって各行間が接合されている。図は頁領域１と頁領域８との境界の切断線２に形成された連結部１３１を示す。連結部１３１が形成されていない部分は、分離されていおり、貫通溝１３２となっている。したがって、手などにより連結部１３１を分離することにより、容易に頁領域間を切断することができる。
【００３７】
図７により切断線における頁領域間の切断について説明する。（ａ）に示すように切断線２が形成されている。この印刷用紙１に、画像等を印刷後、（ｂ）に示すように切断線２において切断する。図は、１行目と２行目、２行目と３行目に形成された切断線２において切断したところである。
【００３８】
続いて図８（ａ）に示すように印刷用紙１を、切断した１行目の各頁領域間に形成された山折り線３２と谷折り線３１にしたがって折り曲げる。すなわち頁領域１と頁領域２との境界の谷折り線３１で谷折りにし、頁領域２と頁領域３との境界の山折り線３２で山折りにする。続いて頁領域３と頁領域４との境界の谷折り線３１で谷折りにする。そして（ｂ）に示すように頁領域４と頁領域５との境界の山折り線で山折りにし、以下同様に２行目以降についても、それぞれの線にしたがって折り曲げる。すべての折り曲げ基準線部において折り曲げ、頁領域の裏面の剥離紙を剥がして粘着層によって貼り合わせることにより（ｃ）に示すように、折丁とすることができる。
【００３９】
図９を使って印刷用紙の貼り合わせのために剥離紙を剥がす工程について説明する。図９（ａ）は、印刷用紙１の裏面を示す。印刷用紙１の裏面には、谷折り線３１に対し斜めに剥離補助形成線４１が形成されている。この剥離補助形成線４１は、剥離紙に形成された切れ目（スリット）であり、印刷が施されるシート９０には、切れ目は達していない。頁領域間の折り曲げ線３１を図のように折り曲げると剥離補助形成線４１から剥離紙の摘み部４５が剥離する。そして摘み部４５を指で摘んで（ｂ）の矢印に示す方向に引っ張ることによって剥離紙を剥離することができる。
【００４０】
図１０に摘み部の他の実施例を示す。（ａ）は、印刷用紙３０の裏面を示す。
摘み部４６は、剥離補助形成線４２により、三角形状に形成されている。（ｂ）に示すように頁領域の境界の谷折り線３１で、印刷用紙３０を折り曲げると、剥離紙の一部領域に形成された摘み部４６は、粘着層から外れて浮き上がる。この摘み部４２を摘むことにより剥離紙を容易に剥がすことができる。
【００４１】
さらに図１１に摘み部の他の実施例を示す。（ａ）は、印刷用紙４０の裏面を示す。剥離紙には、折り曲げ線に対して半円状に切れ目（剥離補助形成線４３）が入れられて摘み部４７が形成されている。切れ目は、剥離紙に入れられ、印刷が施されるシートには、入れられていない。図１１（ｂ）は、印刷用紙４０を折り曲げたところを示す。印刷用紙４０を折り曲げることにより、剥離紙に形成された摘み部４７が粘着層から剥がれる。この摘み部を摘むことによって剥離紙を容易に剥がすことができる。
【００４２】
以上のように折り曲げ線近傍に摘み部を形成することによって、折り曲げ線において印刷用紙を折り曲げると、摘み部の領域が小さく、粘着性が弱いため、摘み部が粘着層から剥がれる。これにより剥離紙の摘み部を摘んで、剥離紙を剥がすことができる。摘み部の形状は、以上の実施例に限られない。折り曲げ線近傍に形成され、折り曲げによって、粘着層から剥離される形状であればよい。そのためには、摘み部は小面積であることが望ましい。大面積であれば、折り曲げに対して十分な粘着力を有するため、印刷用紙を折り曲げても、摘み部が剥離されない。また摘み部を形成せずに、強度の粘着テープをキットとして同封し、粘着テープで剥離紙の折り曲げ線近傍を接着して、粘着テープを引っ張ることにより、剥離紙を剥がすようにしてもよい。
【００４３】
図１２は、Ａ４用紙を縦に連結したサイズを有する印刷用紙の実施例である。この用紙の幅５１は、Ａ４サイズの用紙の幅に等しく、２１０ｍｍである。また長さ５２は、Ａ４サイズの用紙の長さ２９７ｍｍの２倍の５９４ｍｍである。この印刷用紙５０には、３行８列に同一の大きさの頁領域が並んでいる。前述と同様に切断線２、谷折り線３１、山折り線３２、ラベル領域８３が形成されており、印刷後、切断線２によって切断し、谷折り線３１、山折り線３２で折ることによって折丁として、冊子を形成することができる。裏面には、前述と同様に、粘着層が形成されている。この印刷用紙は、幅がＡ４用紙と同じであるため、一般的なプリンタで印刷することができ、ページ数が多いため多くの画像を印刷することができる。
【００４４】
図１３は、Ａ４用紙を縦に連結したサイズを有する印刷用紙の他の実施例である。この用紙の幅５１は、Ａ４サイズの用紙の幅に等しく、また長さ５２は、Ａ４サイズの２倍の５９４ｍｍである。この印刷用紙６０には、２行６列に同一の大きさの頁領域が並んでいる。このようにすると図１２で説明した前述の実施例よりも大きい冊子を作成することができる。また印刷用紙は、幅がＡ４用紙と同じであるため、一般的なプリンタで印刷することができる。
【００４５】
図１４を用いて表紙の形成工程を説明する。まず（ａ）に示すような冊子の表紙とする芯材７０を用意する。芯材７０は、例えば、紙、プラスチック、木材、金属材料などを利用することができる。表紙とするために、硬めの材料が望ましく、これらに限られない。（ｂ）に示すように芯材７０から打ち抜き等により、第一表紙部材７１、背表紙部材７２、補助部材７３、および第二表紙部材７４とを形成する。これら四部材を形成するにあたって、接合部７８により、それぞれが接合された状態にしておけば、それぞれが分離されず、後の工程が行いやすい。
【００４６】
図１４（ｃ）に示すようにカバー８１の上に第一表紙部材７１、背表紙部材７２、補助部材７３、および第二表紙部材７４を置く。カバー８１は、冊子として完成すると表紙を飾るものであり、意匠的に好みのものを使用するとよい。例えば、好みの色や図柄のものを使用する。またカバーとしては、例えば、紙、ビニール、布、革等を利用できる。カバー８１の裏面を上にしてその上に、四部材を載せるようにする。そして矢印に示すようにカバー８１の端部を折り曲げて四部材に貼り付ける。また必要に応じて、接合部を取り外す。このようにして（ｄ）に示すように表紙が完成する。
【００４７】
図１５（ａ）に完成した表紙の斜視図を示す。表紙８０の表面は、カバー８１によって覆われており、意匠的にもよい。（ｂ）に示すように、前述の工程によって折り曲げて束ねられた印刷用紙１（折丁）を、表紙８０に貼り付ける。
【００４８】
図１６を用いて完成した冊子の開き方を説明する。（ａ）に示すように、第二表紙部材７４側から開くと（ｂ）に示すように、補助部材７３の両端部が折れ曲がる。これによって冊子の頁を十分に開くことが可能となる。
【００４９】
図１７に示すように、印刷用紙１の一部に形成されたラベル８３を表紙８０の表面や背表紙に貼り付ける。ラベル８３には、冊子を識別するタイトルなどの文字が印字されている。
【００５０】
図１８に表紙の他の実施例を示す。（ａ）に示すように、表紙８５の第一表紙部材７１、第二表紙部材７４には、挿入袋７９が形成されている。頁挿入袋７９は、一辺に開口部７８を有し、他の三辺は、表紙部材に接着されている。（ｂ）に示すようにこの開口部７８から印刷用紙１の一頁目と最終頁を挿入して、冊子として完成する。挿入袋７９に頁を挿入するだけであるため、容易に表紙を取り替えることができる。挿入袋７９は、透明なものにより形成すれば、挿入された頁を閲覧することもできる。例えば、ビニールを利用することができる。第一頁に印刷が施されていない場合、挿入袋７９は、透明でなくてもよい。
【００５１】
以上のような切断線や折り曲げ線を有する印刷用紙に印刷し、折り曲げることによって簡易迅速に冊子を作成することができる。印刷用紙には、粘着層を形成し、その粘着層を覆う剥離紙に剥離補助形成線を形成することによって、容易に剥離紙を剥がして印刷用紙を貼り合わせ、折丁とし、表紙に貼り付けて冊子とできる。表紙は、第一表紙部材、補助部材、および第二表紙部材が間隙を有した状態で一体として連結されているため、この各間隙において折り曲げ可能で開きやすい。
【図面の簡単な説明】
【００５２】
【図１】本発明の画像処理システムの概略を示す説明図。
【図２】画像を編集する際の表示画面を示す図。
【図３】画像を印刷するまでの工程を示すフローチャート。
【図４】本発明の印刷用紙の実施例。
【図５】印刷用紙の断面構造と折り曲げ線を説明する図。
【図６】印刷用紙の切断線の連結部を説明する図
【図７】印刷後の印刷用紙の組み立てについて説明する図。
【図８】図７に続く組み立てについて説明する図。
【図９】剥離紙の剥離について説明する図。
【図１０】剥離補助形成線の第二の実施例。
【図１１】剥離補助形成線の第三の実施例。
【図１２】印刷用紙の第二の実施例。
【図１３】印刷用紙の第三の実施例。
【図１４】冊子用表紙の形成工程について説明する図。
【図１５】冊子用表紙の取り付けについて説明する図。
【図１６】冊子の開き方について説明する図。
【図１７】ラベルの貼付について説明する図。
【図１８】頁挿入袋を有する冊子用表紙について説明する図。
【符号の説明】
【００５３】
１    印刷用紙
２    切断線
３１    谷折り線
３２    山折り線
４１，４２，４３  剥離補助形成線
７１  第一表紙部材
７２  背表紙部材
７３  補助部材
７４  第二表紙部材
８０，８５    冊子用表紙
８１  カバー
８３  ラベル
【図１】
0004618772.tif 000002
【図２】
0004618772.tif 000003
【図３】
0004618772.tif 000004
【図４】
0004618772.tif 000005
【図５】
0004618772.tif 000006
【図６】
0004618772.tif 000007
【図７】
0004618772.tif 000008
【図８】
0004618772.tif 000009
【図９】
0004618772.tif 000010
【図１０】
0004618772.tif 000011
【図１１】
0004618772.tif 000012
【図１２】
0004618772.tif 000013
【図１３】
0004618772.tif 000014
【図１４】
0004618772.tif 000015
【図１５】
0004618772.tif 000016
【図１６】
0004618772.tif 000017
【図１７】
0004618772.tif 000018
【図１８】
0004618772.tif 000019